(57)【特許請求の範囲】
【請求項１】
掃除機ヘッドのためのブラシバーであって、
前記ブラシバーの長手方向において延在しているチャネルと、前記チャネルの側部それぞれの一部分に沿って設けられていると共に、前記チャネルの底面から離隔して配置されている少なくとも１つの保持形体と、を有しているブラシバー本体であって、前記チャネルが、変化部分を有しており、前記チャネルの深さが、前記チャネルの前記長手方向において前記変化部分の一方の端部から浅くなっている、前記ブラシバー本体と、
可撓性ストリップと撹拌器とを備えている撹拌要素であって、前記可撓性ストリップが、前記チャネルの内部に配置されており、前記可撓性ストリップが、前記保持形体が前記可撓性ストリップを前記チャネルの内部に保持するように、前記保持形体それぞれと前記チャネルの底面との間に延在しており、前記撹拌器が、前記チャネルからラジアル方向外方に延在している、前記撹拌要素と、
前記可撓性ストリップが前記保持形体それぞれと当接した状態で保持されるように、前記可撓性ストリップと前記チャネルの底面との間に配置されているシムであって、前記シムが、変化部分を有しており、前記変化部分の厚さプロファイルが、前記シムの長手方向において前記チャネルの深さの減少量に相当する量で小さくなっている、前記シムと、
を備えていることを特徴とするブラシバー。
【請求項２】
前記シムの長手方向における、前記シムの前記変化部分の厚さプロファイルの変化率が、０．００１ｍｍ／ｍｍ〜０．０１ｍｍ／ｍｍとされることを特徴とする請求項１に記載のブラシバー。
【請求項３】
前記チャネルの前記変化部分が、前記チャネルの長さの少なくとも半分の長さに沿って延在していることを特徴とする請求項１又は２に記載のブラシバー。
【請求項４】
前記可撓性ストリップの厚さプロファイルが、前記可撓性ストリップの長さに沿って一定とされることを特徴とする請求項１〜３のいずれか一項に記載のブラシバー。
【請求項５】
前記保持形体が、前記チャネルの一方の側部の少なくとも一部分に沿って延在している第１の保持リップと、前記チャネルの他方の側部の少なくとも一部分に沿って延在している第２の保持リップとを備えていることを特徴とする請求項１〜４のいずれか一項に記載のブラシバー。
【請求項６】
前記チャネルの前記変化部分に沿った、前記第１の保持リップ及び前記第２の保持リップそれぞれと前記チャネルの底面との距離が、前記チャネルの長手方向において小さくなっていることを特徴とする請求項５に記載のブラシバー。
【請求項７】
前記チャネルが、前記可撓性ストリップ及び前記シムを前記チャネルに挿入するために、前記チャネルの一方の端部に向かっている開口部を有していることを特徴とする請求項１〜６のいずれか一項に記載のブラシバー。
【請求項８】
前記変化部分に沿った、前記チャネルの底面と前記保持形体それぞれとの距離が、前記開口部から離隔する方向において小さくなっていることを特徴とする請求項７に記載のブラシバー。
【請求項９】
前記ブラシバーが、前記チャネルの内部において撹拌ストリップ及び前記シムを固定するために、前記チャネルの開端部に固定されている保持具を備えていることを特徴とする請求項７又は８に記載のブラシバー。
【請求項１０】
前記保持具が、前記ブラシバー本体の端部に固定されているキャップを備えていることを特徴とする請求項９に記載のブラシバー。
【請求項１１】
前記チャネルの前記変化部分の幅が、前記チャネルの長手方向において小さくなっており、
前記シムの前記変化部分の幅が、前記チャネルの幅の減少量に相当する量で前記シムの前記変化部分に沿って小さくなっていることを特徴とする請求項１〜１０のいずれか一項に記載のブラシバー。
【請求項１２】
前記撹拌器が、前記可撓性ストリップに固定されている剛毛を備えていることを特徴とする請求項１〜１１のいずれか一項に記載のブラシバー。
【請求項１３】
前記可撓性ストリップが、繊維を備えていることを特徴とする請求項１２に記載のブラシバー。
【請求項１４】
前記チャネルが、螺旋状に少なくとも１８０°延在していることを特徴とする請求項１〜１３のいずれか一項に記載のブラシバー。
【請求項１５】
請求項１〜１４のいずれか一項に記載のブラシバーを備えていることを特徴とする真空掃除機のための掃除機ヘッド。
【請求項１６】
請求項１〜１４のいずれか一項に記載のブラシバーを備えていることを特徴とする掃除具。
【請求項１７】
ブラシバーを製造するための方法において、
ブラシバー本体を準備するステップであって、前記ブラシバー本体が、前記ブラシバーの長手方向において延在しているチャネルと、前記チャネルの側部それぞれの一部分に沿って設けられていると共に前記チャネルの底面から離隔している少なくとも１つの保持形体とを有しており、前記チャネルが、変化部分を有しており、前記チャネルの深さが、前記チャネルの長手方向において前記変化部分の一方の端部から浅くなっている、前記ステップと、
撹拌要素を前記チャネルに挿入するステップであって、前記撹拌要素が、可撓性ストリップと撹拌器とを備えており、前記可撓性ストリップが、前記チャネルの内部に配置されており、前記保持形体それぞれと前記チャネルの底面との間に延在しており、前記撹拌器が、前記チャネルからラジアル方向外方に延在している、前記ステップと、
シムを前記可撓性ストリップと前記チャネルの底面との間に挿入するステップであって、前記可撓性ストリップが、前記保持形体それぞれに押し込まれ、前記保持形体それぞれと当接しており、前記シムが、変化部分を有しており、前記変化部分の厚さプロファイルが、前記シムの長手方向において、前記チャネルの深さの減少量に相当する量で小さくなっている、前記ステップと、
を備えていることを特徴とする方法。
【請求項１８】
前記ブラシバーが、請求項２〜１４のいずれか一項に記載のブラシバーとされることを特徴とする請求項１７に記載の方法。
【請求項１９】
前記チャネルが、前記チャネルの一方の端部に向かっている開口部を有しており、
前記方法が、撹拌ストリップ及び前記シムを前記チャネルの内部に保持するために、開端部において保持器を固定するステップを備えていることを特徴とする請求項１７又は１８に記載の方法。
【発明の詳細な説明】
【技術分野】
【０００１】
本発明は、ブラシバー、掃除機ヘッド、及び当該ブラシバーを製造するための方法に関する。
【背景技術】
【０００２】
ブラシバーは、清掃すべき表面の塵埃を撹拌するために、真空掃除機において利用される。撹拌は、塵埃が分離器の内部に吸い上げられるように、当該塵埃を清掃すべき表面から持ち上げることを補助する。
【０００３】
特許文献１は、ブラシバーの一例を開示している。ブラシバーは、円筒状本体と、ナイロン製剛毛ストリップ及びカーボンファイバ製剛毛から成る２つの剛毛ストリップとを備えている。一般に、剛毛ストリップそれぞれが、剛毛を取り付け可能とされる材料ストリップを備えている。例えばカーボンファイバ製の剛毛は、縫い付けによって比較的高剛性な高分子材料から成るストリップに固定可能とされる。一般に、ナイロン製剛毛は、例えばそれ自体がナイロンである繊維から成る可撓性ストリップに結合されている。一般に、自身の側面それぞれに保持リップを有しているチャネルは、ブラシバーの円筒状本体に沿って形成されている。剛毛ストリップは、チャネルそれぞれに沿って延在しており、保持リップによって所定位置に保持されている。
【０００４】
このようなブラシバーを組み立てるために、剛毛ストリップそれぞれのネジ部が、一方の端部からチャネルに沿って形成されている。チャネルの深さが浅すぎる場合には、ストリップをチャネルに沿って押すために必要とされる力によって、剛毛ストリップが変形する恐れがあり、例示的に上述したカーボンファイバ製ストリップより高い可撓性を有しているナイロン製ストリップの場合には、剛毛ストリップをチャネルに挿入することが非常に困難になるか、又は潜在的に不可能となる。逆に、チャネルの深さが深すぎる場合には、剛毛ストリップそれぞれの下面とチャネルそれぞれの底面との間の間隔が広くなるので、ブラシバーの利用の際に剛毛ストリップがラジアル方向に移動するようになる。これにより、床との間隔を維持することが困難になり、比較的高剛性であるナイロン製剛毛の場合には、剛毛ストリップがチャネルに押し込まれるので、剛毛がカーペット表面に侵入する量が減少し、吸い上げ性能にとって逆効果となる。
【０００５】
従って、上述の欠点を有していないブラシバーが求められている。
【先行技術文献】
【特許文献】
【０００６】
【特許文献１】英国特許出願公開第２５２６５１２号明細書
【発明の概要】
【発明が解決しようとする課題】
【０００７】
本発明の第１の実施形態は、掃除機ヘッドのためのブラシバーであって、ブラシバーの長手方向において延在しているチャネルと、チャネルの側部それぞれの一部分に沿って設けられていると共に、チャネルの底面から離隔して配置されている少なくとも１つの保持形体と、を有しているブラシバー本体であって、チャネルが、変化部分を有しており、チャネルの深さが、チャネルの長手方向において変化部分の一方の端部から浅くなっている、ブラシバー本体と、可撓性ストリップと撹拌器とを備えている撹拌要素であって、可撓性ストリップが、チャネルの内部に配置されており、可撓性ストリップが、保持形体が可撓性ストリップをチャネルの内部に保持するように、保持形体それぞれとチャネルの底面との間に延在しており、撹拌器が、チャネルからラジアル方向外方に延在している、撹拌要素と、可撓性ストリップが保持形体それぞれと当接した状態で保持されるように、可撓性ストリップとチャネルの底面との間に配置されているシムであって、シムが、変化部分を有しており、変化部分の厚さプロファイルが、シムの長手方向においてチャネルの深さの減少量に相当する量で小さくなっている、シムとを備えていることを特徴とするブラシバーを提供する。
【課題を解決するための手段】
【０００８】
シムと可撓性ストリップとは、可撓性ストリップが保持形体に対して保持されるように協働する。これにより、剛毛ストリップが利用の際にラジアル方向に移動することが防止されるので、カーペット等への侵入が改善される。さらに、ブラシバーは組立容易である。剛毛ストリップをシムに沿ってチャネルに挿入するために必要とされる力が比較的小さいからである。可撓性ストリップ、チャネル、保持形体、及び／又はシムが一様な断面を有している必要がないことに留意すべきである。例えば、シムの変化部分は、（シムの長さに沿って見ると）段付の又はテーパ状の断面を有しているが、当該断面の厚さプロファイルは、変化部分の長さに沿って小さくなっている。
【０００９】
シムの長手方向における、シムの変化部分の厚さプロファイルの変化率が、０．００１ｍｍ／ｍｍ〜０．０１ｍｍ／ｍｍとされ、好ましくは０．００２ｍｍ／ｍｍ〜０．００５ｍｍ／ｍｍとされ、例えば０．００２６ｍｍ／ｍｍとされる。
【００１０】
チャネルの変化部分が、チャネルの長さの少なくとも半分の長さに沿って、好ましくはチャネルの長さの少なくとも７５％の長さに沿って延在している。好ましくは、シムの変化部分が、チャネルの変化部分の長さ全体に沿って延在している。
【００１１】
可撓性ストリップの厚さプロファイルが、可撓性ストリップの長さに沿って一定とされる。
【００１２】
保持形体が、チャネルの一方の側部の少なくとも一部分に沿って延在している第１の保持リップと、チャネルの他方の側部の少なくとも一部分に沿って延在している第２の保持リップとを備えている。
【００１３】
チャネルの変化部分に沿った、第１の保持リップ及び第２の保持リップそれぞれとチャネルの底面との距離が、チャネルの長手方向において小さくなっている。
【００１４】
チャネルが、可撓性ストリップ及びシムをチャネルに挿入するために、チャネルの一方の端部に向かっている開口部を有している。開口部は、保持形体同士の間にスロットの幅広部分として形成されたチャネルの端部に位置している。
【００１５】
変化部分に沿った、チャネルの底面と保持形体それぞれとの距離が、開口部から離隔する方向において小さくなっている。
【００１６】
ブラシバーが、チャネルの内部において撹拌ストリップ及びシムを固定するために、チャネルの開端部に固定されている保持具を備えている。保持具が、ブラシバー本体の端部に固定されているキャップを備えている。
【００１７】
チャネルの変化部分の幅が、チャネルの長手方向において小さくなっている。シムの変化部分の幅が、チャネルの幅の減少に相当する量でシムの変化部分に沿って小さくなっている。
【００１８】
撹拌器が、可撓性ストリップに固定されている剛毛を備えている。可撓性ストリップが、例えば不織布のような繊維を備えている。可撓性ストリップが、例えばナイロンのような高分子材料から作られている。可撓性ストリップの厚さは、１ｍｍより小さく、例えば０．５ｍｍより小さい。
【００１９】
チャネルが、螺旋状に少なくとも１８０°延在している。
【００２０】
本発明の第２の実施態様は、本発明の第１の実施態様におけるブラシバーを備えている真空掃除機のための掃除機ヘッドを提供する。
【００２１】
本発明の第３の実施態様は、本発明の第１の実施態様におけるブラシバーを備えている掃除具を提供する。
【００２２】
本発明の第４の実施態様は、ブラシバーを製造するための方法において、ブラシバー本体を準備するステップであって、ブラシバー本体が、ブラシバーの長手方向において延在しているチャネルと、チャネルの側部それぞれの一部分に沿って設けられていると共にチャネルの底面から離隔している少なくとも１つの保持形体とを有しており、チャネルが、変化部分を有しており、チャネルの深さが、チャネルの長手方向において変化部分の一方の端部から浅くなっている、ステップと、撹拌要素をチャネルに挿入するステップであって、撹拌要素が、可撓性ストリップと撹拌器とを備えており、可撓性ストリップが、チャネルの内部に配置されており、保持形体それぞれとチャネルの底面との間に延在しており、撹拌器が、チャネルからラジアル方向外方に延在している、ステップと、シムを可撓性ストリップとチャネルの底面との間に挿入するステップであって、可撓性ストリップが、保持形体それぞれに押し込まれ、保持形体それぞれと当接しており、シムが、変化部分を有しており、変化部分の厚さプロファイルが、シムの長手方向において、チャネルの深さの減少量に相当する量で小さくなっている、ステップとを備えている。
【００２３】
ブラシバーが、本発明の第１の実施態様におけるブラシバーの特徴のうち１つ以上の特徴を備えている。
【００２４】
チャネルが、チャネルの一方の端部に向かっている開口部を有しており、可撓性ストリップ及びシムが挿入の際に開口部を貫通している。当該方法が、撹拌ストリップ及びシムをチャネルの内部に保持するために、開端部において保持器を固定するステップを備えている。
【００２５】
本発明を良好に理解するために、且つ、本発明の取り組みを一層明確に表わすために、本発明について、添付図面を参照しつつ以下に説明する。
【図面の簡単な説明】
【００２６】
【図１】スティック型真空掃除機を表わす。
【図２】図１に表わすスティック型真空掃除機の掃除機ヘッドを表わす。
【図３】図２に表わす掃除機ヘッドのブラシバーを表わす。
【図４】図３に表わすブラシバーのブラシバー本体の分解図である。
【図５】図３に表わすブラシバーの一部分についての概略的な断面図である。
【図６】図３に表わすブラシバーの断面図である。
【発明を実施するための形態】
【００２７】
図１は、主本体４とサイクロン式分離装置６とワンド８と掃除機ヘッド１０とを備えているスティック型真空掃除機２を表わす。
【００２８】
図２は、掃除機ヘッド１０単体を表わす。掃除機ヘッド１０は、本体１２と、本体１２に回転可能に接続されている関節式ネック１４と、本体１２の内部に収容されているブラシバー１６（図２には図示しないが、図３に単独で表わす）とを備えている。
【００２９】
図３を表わすブラシバー１６は、ブラシバー本体１８を備えており、ブラシバー本体１８は、単一材料片から形成されている管状部分２０と、端部キャップ２２と、第１の剛毛ストリップ２４と、第２の剛毛ストリップ２６とを備えている。ブラシバー１６は、長手方向軸線Ｘを有している。
【００３０】
第１の剛毛ストリップ２４は、可撓性ストリップ２８と、可撓性ストリップ２８に結合されている複数の剛毛３０とを備えており、可撓性ストリップ２８は、図５及び図６に表わすように、例えば不織布のような繊維から形成されている。可撓性ストリップ２８は、自身の長さに沿って、略一定の厚さＴＦを有している。可撓性ストリップ２８の厚さは、可撓性ストリップ２８が自重によって屈曲するような、且つ、一方の端部において保持された場合に自身を支持することができないような厚さになっている。可撓性ストリップ２８の厚さは０．５ｍｍより小さい。図示の実施例では、剛毛３０はナイロンから作られている。
【００３１】
第２の剛毛ストリップ２６は、可撓性ストリップ２８より高い剛性を有している高剛性ストリップ３２と、縫い付けによって高剛性ストリップ３２に固定されている複数の剛毛３４とを備えており、高剛性ストリップ３２は、例えばプラスチック材料から作られている。図示の実施例では、剛毛はカーボンファイバ製の剛毛とされる。
【００３２】
図４は、ブラシバー本体１８単独の分解図である。ブラシバー本体１８は、ブラシバー本体１８の周囲を囲んで形成されている第１の螺旋状隆起形成部分３６及び第２の螺旋状隆起形成部分３８を有している。第１の螺旋状隆起形成部分３６及び第２の螺旋状隆起形成部分３８それぞれが、ブラシバー本体１８の外周の周りに３６０°延在している。第１の螺旋状隆起形成部分３６と第２の螺旋状隆起形成部分３８とはそれぞれ、第１の螺旋状隆起形成部分３６及び第２の螺旋状隆起形成部分３８がブラシバー１６の長手方向軸線Ｘ全体に亘って互いに対して対角方向に位置決めされるように、互いから１８０°離隔して配置されている。
【００３３】
第１のチャネル４０及び第２のチャネル４２それぞれが、第１の螺旋状隆起形成部分３６及び第２の螺旋状隆起形成部分３８それぞれの長さに沿って形成されている。第１のチャネル４０及び第２のチャネル４２それぞれの、端部キャップ２２に隣接している端部は開口されている。
【００３４】
第１の保持リップ４４及び第２の保持リップ４６の形態をした保持形体はそれぞれ、当該保持形体が第１のチャネル４０をオーバーハングすることによってスロットが第１の保持リップ４４と第２の保持リップ４６との間に形成されるように、第１のチャネル４０の上側縁部に沿って延在している。
【００３５】
第１のチャネル４０は、端部キャップ２２に最も近接している開端部から第１のチャネル４０の長さに沿って掘り下げられている深さＤＣを有している。第１のチャネル４０の長さに沿った第１のチャネル４０の深さＤＣの変化率は、第１のチャネル４０に沿って略一定とされる。第１のチャネル４０に沿った第１のチャネル４０の深さＤＣの変化率は、０．００１ｍｍ／ｍｍ〜０．０１ｍｍ／ｍｍとされ、好ましくは０．００２ｍｍ／ｍｍ〜０．００５ｍｍ／ｍｍとされる。第１の保持リップ４４及び第２の保持リップ４６は、第１の保持リップ４４及び第２の保持リップ４６の長さに沿って、一定の厚さプロファイルを有しているので、第１の保持リップ４４及び第２の保持リップ４６それぞれの下面と第１のチャネル４０の底面との間における距離ＤＬは、端部キャップ２２に隣接している開端部から第１のチャネル４０の長さに沿って離隔するに従って小さくなっている。第１の保持リップ４４及び第２の保持リップ４６それぞれが、幅方向において一様の厚さを有している必要はないが、第１の保持リップ４４及び第２の保持リップ４６それぞれの幅プロファイルは第１の保持リップ４４及び第２の保持リップ４６の長さに沿って変化しない。第２の保持リップ４６は、開端部に隣接している切欠４７を有している。
【００３６】
第３の保持リップ４８及び第４の保持リップ５０は、第３の保持リップ４８及び第４の保持リップ５０が第２のチャネル４２をオーバーハングすることによって第３の保持リップ４８と第４の保持リップ５０との間にスロットが形成されるように、第２のチャネル４２の上側縁部に沿って延在している。第２のチャネル４２の深さは、第２のチャネル４２の長さに沿って略一定とされるが、第３の保持リップ４８及び第４の保持リップ５０は、一定の厚さプロファイルを有しているので、第３の保持リップ４９８及び第４の保持リップ５０それぞれの下面と第２のチャネル４２の底面との間の距離は、第２のチャネル４２の長さに沿って変化しない。第２のチャネル４２の開端部は端部キャップ２２に隣接している。
【００３７】
図５に表わすように、第１の剛毛ストリップ２４は、第１のチャネル４０の内部に配置されており、可撓性ストリップ２８の側面縁部は、第１の保持リップ４４及び第２の保持リップ４６それぞれの下方において延在しており、剛毛３０は、第１の保持リップ４４及び第２の保持リップ４６によって形成されているスロットを貫通して、第１のチャネル４０から外方に突出している。従って、第１の剛毛ストリップ２４は、第１の保持リップ４４及び第２の保持リップ４６によって第１のチャネル４０の内部に捕捉された状態で保持されている。
【００３８】
図５及び図６に表わすように、シム５２が、可撓性ストリップ２８と第１のチャネル４０の底面との間に配置されているので、シム５２は、第１の保持リップ４４及び第２の保持リップ４６の下面と当接且つ係合された状態において、可撓性ストリップ２８を保持している。シム５２の厚さＴＳは、端部キャップ２２から離隔する方向において小さくなっている。従って、シム５２は、シム５２の長さに沿ってテーパ状になっている。シム５２の厚さＴＳの変化は、第１のチャネル４０の深さＤＣの変化に対応している。２３０ｍｍの長さを有しているシム５２の場合には、シム５２の厚さＴＳが、厚肉端部における１．２ｍｍから薄肉端部における０．６ｍｍに変化する。シム５２の長手方向におけるシム５２の厚さの変化率は、０．００１ｍｍ／ｍｍ〜０．０１ｍｍ／ｍｍとされ、好ましくは０．００２ｍｍ／ｍｍ〜０．００５ｍｍ／ｍｍとされる。シム５２ＴＳの厚さと可撓性ストリップ２８の厚さＴＦとの組み合わせは、第１のチャネル４０の長さに沿った、第１の保持リップ４４及び第２の保持リップ４６それぞれの下面と第１のチャネル４０の底面との間における距離ＤＬに等しい。シム５２は、シム５２の最厚肉端部にタブ５４を有しており、タブ５４は、シム５２の載置部分の上面から起立している。言うまでもなく、シム５２の断面が一様である必要はない。一様でない断面を有しているシム５２の場合には、シム５２の断面形状は、シム５２によって占有される第１のチャネル４０の一部分の断面形状に対応している。
【００３９】
ブラシバー１６の組み立てについて、特に図６を参照しつつ、以下に説明する。
【００４０】
最初に、第２の剛毛ストリップ２６の高剛性ストリップ３２が、ブラシバー本体１８の管状部分２０に形成された第２のチャネル４２の開端部を通じて挿入され、これにより、高剛性ストリップ３２の縁部が、第３の保持リップ４８及び第４の保持リップ５０の下方において第２のチャネル４２に沿って滑動され、最終的に、第２の剛毛ストリップ２６が、第２のチャネル４２の開端部を通じて完全に挿入される。完全に挿入されると、第２の剛毛ストリップ２６が、第３の保持リップ４８及び第４の保持リップ５０によって保持され、カーボンファイバ製の剛毛３４が、第３の保持リップ４８と第４の保持リップ５０との間に形成されたスロットを通じて、ブラシバー本体１８からラジアル方向外方に突出する。高剛性ストリップ３２の厚さは、第３の保持リップ４８及び第４の保持リップ５０の下面同士の距離に等しいので、高剛性ストリップ３２の上面が、第３の保持リップ４８及び第４の保持リップ５０の下面それぞれに接触し、第２のチャネル４２の底面に接触し、これにより、高剛性ストリップ３２の下面が、高剛性ストリップ３２が第２のチャネル４２の内部に圧入される。
【００４１】
次に、第１の剛性ストリップ２４の可撓性ストリップ２８が、可撓性ストリップ２８の縁部が第１の保持リップ４４及び第２の保持リップ４６の下方において第１のチャネル４０に沿って滑動されるように、且つ、剛毛３０が第１の保持リップ４４と第２の保持リップ４６との間において第１のチャネル４０から外方に突出するように、第１のチャネル４０の開端部を通じて挿入される。第１のチャネル４０の底面と第１の保持リップ４４及び第２の保持リップ４６の下面との間における距離ＤＬが比較的長いので、第１の剛毛ストリップ２４が阻害されていないチャネルの長さ全体に沿って押されるか、又は引き込まれることが確実になる（すなわち、可撓性ストリップ２８と第１のチャネル４０の底面又は第１の保持リップ４４及び第２の保持リップ４６の下面との間における摩擦がほとんど存在しない）。可撓性を有している剛毛ストリップ２８が第１のチャネル４０に完全に挿入されると、シム５２の最薄肉端部が、可撓性ストリップ２８と第１のチャネル４０の底面との間において、第１のチャネル４０に挿入される。シム５２が挿入された場合には、可撓性ストリップ２８が、シム５２によって、第１の保持リップ４４及び第２の保持リップ４６に向かってラジアル方向外方に押される。シム５２が自身が完全に挿入される地点に到達すると、シム５２は、可撓性ストリップ２８を第１のリップ４４及び第２のリップ４６の下面に対して押圧する。シム５２が可撓性ストリップ２８を第１の保持リップ４４及び第２の保持リップ４６に対して押圧した場合に限り、シム５２と第１のチャネル４０の基部との間における著しく大きい抵抗摩擦力が、シム５２に作用する。その結果として、シム５２に作用させる力を過剰に大きくする必要がなくなるので、組立の際にシム５２又は可撓性ストリップ２８が損傷する可能性が小さくなる。完全に挿入されると、タブ５４は、第２の保持リップ４６に形成されている切欠４７と係合する。これにより、シム５２は第１のチャネル４０の長さより僅かに短いので、シム５２が第１のチャネル４０にさらに押し込まれることが防止される。
【００４２】
当該構成の利点は、可撓性ストリップ２８が非常に可撓性に富むことことである。第２の剛性ストリップ２６の高剛性ストリップ３２とは異なり、可撓性ストリップ２８は、可撓性ストリップ２８が第１のチャネル４０に挿入された場合に摩擦力に耐えるように構成されている必要がないからである。また、可撓性ストリップ２８は、一定の厚さを有している。従って、第２の剛毛ストリップ２６は、比較的単純で低コストである製造プロセスを利用することによって製造可能とされる。当該構成は、第１のチャネル４０の長さが比較的長い場合に、特に有益である。剛毛ストリップの圧入によって生じる比較的大きい摩擦力の発生を回避することができるからである。これにより、利用するチャネルの長さを、他の構成において可能とされる長さより長くすることができる。図示の実施例では、シム５２は、可撓性ストリップ２８より高剛性とされ、シム５２が第１のチャネル４０に完全に押し込まれた場合に可撓性ストリップ２８が過剰に変形しない程度に、十分な硬さを有している。
【００４３】
当該構成のさらなる利点は、シム５２が、上述の実施例では第１の剛毛ストリップ２４より重い第２の剛毛ストリップ２６に対する釣り合い重りを備えて構成されていることである。従って、シム５２は、ブラシバー１６を長手方向軸線Ｘに関して釣り合わせるために利用可能とされる。
【００４４】
第１の剛毛ストリップ２４及び第２の剛毛ストリップ２６がブラシバー本体１８の管状部分２０に組み付けられると、端部キャップ２２が管状部分２０の端部において所定位置に固定される。端部キャップ２２は、押し込んで嵌め込まれるか、及び／又は接着及び／若しくは溶着によって固定される。端部キャップ２２は、第１のチャネル４０及び第２のチャネル４２の内部における所定位置に第１の剛毛ストリップ２４及び第２の剛毛ストリップ２６とシム５２とを保持する。
【００４５】
代替的な実施例では、シムが両方の剛毛ストリップのために利用可能とされる。
【００４６】
第１のチャネルの少なくとも一部分が、第１のチャネルの深さが浅くなる方向と同一の方向において小さくなっている幅を有しており、シムの幅が、第１のチャネルの幅の減少量に相当する量で小さくなっている幅を有している。これにより、シムの挿入をさらに補助することができる。
【符号の説明】
【００４７】
２    スティック型真空掃除機
４    主本体
６    サイクロン式分離装置
８    ワンド
１０    掃除機ヘッド
１２    本体
１４    関節式ネック
１６    ブラシバー
１８    ブラシバー本体
２０    管状部分
２２    端部キャップ
２４    第１の剛毛ストリップ
２６    第２の剛毛ストリップ
２８    可撓性ストリップ
３０    剛毛
３２    高剛性ストリップ
３４    剛毛
３６    第１の螺旋状隆起形成部分
３８    第２の螺旋状隆起形成部分
４０    第１のチャネル
４２    第２のチャネル
４４    第１の保持リップ
４６    第２の保持リップ
４７    切欠
４８    第３の保持リップ
５０    第４の保持リップ
５２    シム
５４    タブ
Ｘ    （ブラシバー１６の）長手方向軸線
【図１】
0006435354.tif 000002
【図２】
0006435354.tif 000003
【図３】
0006435354.tif 000004
【図４】
0006435354.tif 000005
【図５】
0006435354.tif 000006
【図６】
0006435354.tif 000007